(57)【特許請求の範囲】
【請求項１】
便鉢部と、
この便鉢部の下方に設けられた便槽に対してこの便鉢部を連通する排出部と、
排泄された屎尿及び／又は前記便鉢部に流入した水を受ける受部を有し、この受部から前記屎尿及び／又は前記水が落下すると前記排出部を閉鎖する閉止具と、
この閉止具が前記排出部を閉鎖した状態で前記閉止具の上流側近傍に連通する空気路と、
この空気路に設けられ、前記閉止具が前記排出部を開放した際、前記空気路を介して外部から空気を前記便鉢部へ給気する送風機とを備えていることを特徴とするトイレ装置。
【請求項２】
前記排出部を形成する接続部材を有し、この接続部材は、前記閉止具が取り付けられ、かつこの閉止具より上方に前記空気路が連通していることを特徴とする請求項１記載のトイレ装置。
【請求項３】
前記排出部を形成する接続部材を有し、この接続部材は、前記閉止具が取り付けられ、かつこの閉止具より上方で、前記接続部材から分岐し、貯水槽に連通した排水路を備えており、前記空気路はこの排水路に連結していることを特徴とする請求項１記載のトイレ装置。
【請求項４】
使用者の有無を検知する人体検知装置を備え、前記送風機は、回転方向を変更して前記便鉢部及び前記空気路を介して排気することができ、前記人体検知装置が検知する使用者の有無によって前記便鉢部及び前記空気路を介して排気する空気の流量を変更することを特徴とする請求項１乃至３のいずれか１項記載のトイレ装置。
【請求項５】
使用者の有無を検知する人体検知装置と、前記人体検知装置が検知する使用者の有無によって前記便鉢部及び前記空気路を介して排気する空気の流量を変更する排気用送風機とを備えていることを特徴とする請求項１乃至３のいずれか１項記載のトイレ装置。
【請求項６】
前記便鉢部が配置されている周囲の温度を検知する温度検知装置を備え、前記送風機又は前記排気用送風機は、前記温度検知装置が検知する温度によって前記便鉢部及び前記空気路を介して排気する空気の流量を変更することを特徴とする請求項４又は５記載のトイレ装置。
【請求項７】
前記閉止具が前記排出部を閉鎖し、前記受部の上面に前記水が貯留された状態で、前記便鉢部と前記空気路とが連通していることを特徴とする請求項１乃至６のいずれか１項記載のトイレ装置。
【発明の詳細な説明】
【技術分野】
【０００１】
本発明はトイレ装置に関する。
【背景技術】
【０００２】
特許文献１に従来のトイレ装置が開示されている。このトイレ装置は、便鉢部、便槽、排出部、及び閉止具を備えている。便槽は便鉢部の下方に設けられている。排出部は便鉢部を便槽に連通している。閉止具は排出部を開閉することができる。つまり、閉止具は、便鉢部より上方に設けられた便座に使用者が着座すると、その荷重によって、排出部を開放する。また、閉止具は、便座から使用者が離座すると、排出部を閉鎖する。このトイレ装置は閉止具より上方の排出部を分岐した排水路を備えている。この排水路は下流端を浄化処理装置に連通している。また、この排水路は排気管を接続している。排気管は排気装置を設けている。
【０００３】
このトイレ装置は、便座から使用者が離座して便器洗浄を行う際、閉止具が排出部を閉鎖しているため、便器洗浄装置から吐水された便器洗浄水は、排水路を介して浄化処理装置に流入する。浄化処理装置から立ち昇る臭気は排水路の途中に設けられた排気管を介して排気される。
【先行技術文献】
【特許文献】
【０００４】
【特許文献１】特開昭５８−１８１９３６号公報
【発明の概要】
【発明が解決しようとする課題】
【０００５】
しかし、特許文献１のトイレ装置は便座に使用者が着座すると閉止具が排出部を開放するため、便槽から臭気が立ち昇る。このため、使用者が悪臭を感じるとともに、便鉢からトイレルーム内に臭気が拡散してしまう。このため、この臭気を排水路の途中に設けられた排気管から排気することは困難である。
【０００６】
本発明は、上記従来の実情に鑑みてなされたものであって、使用者が悪臭を感じにくく、良好に使用することができるトイレ装置を提供することを解決すべき課題としている。
【課題を解決するための手段】
【０００７】
本発明のトイレ装置は、便鉢部と、
この便鉢部の下方に設けられた便槽に対してこの便鉢部を連通する排出部と、
排泄された屎尿及び／又は前記便鉢部に流入した水を受ける受部を有し、この受部から前記屎尿及び／又は前記水が落下すると前記排出部を閉鎖する閉止具と、
この閉止具が前記排出部を閉鎖した状態で前記閉止具の上流側近傍に連通する空気路と、
この空気路に設けられ、前記閉止具が前記排出部を開放した際、前記空気路を介して外部から空気を前記便鉢部へ給気する送風機とを備えていることを特徴とする。
【０００８】
このトイレ装置は、閉止具が排出部を常時、閉鎖している。閉止具が排出部を閉鎖している状態で送風機を駆動することによって、このトイレ装置は便鉢部及び空気路を介してトイレルーム内の空気を排気することができる。つまり、このトイレ装置はトイレルーム内の臭気を排気することができる。また、このトイレ装置は受部に屎尿等を受けた状態で、その屎尿の臭気も空気路を介して排気することができる。このため、受部に受けた屎尿の臭気（悪臭）を使用者が感じ難く、さらにその臭気がトイレルーム内に拡散することを抑制することができる。また、閉止具は、受部が受けた屎尿等の重量が設定重量よりも重くなったり、屎尿等が受部へ落下することを検知したりすることによって排出部を開放し、受部から屎尿等が落下すると排出部を閉鎖するため、閉止具が排出部を開放する時間は短時間である。このため、閉止具より上方に立ち昇る便槽内の臭気は僅かである。このように、便槽から閉止具より上方に立ち昇る臭気が僅かなため、この臭気を空気路に設けられた送風機を駆動することによって確実に排気することができる。また、閉止具が排出部を開放した際、送風機を駆動して空気路を介して外部から空気を便鉢部へ給気することができる。一時的に閉止具が排出部を開放した際、排出部から便槽内に向けて空気の流れが生じる。この際、送風機の駆動によって空気路を介して外部から給気した空気が便槽内に引き込まれるため、便鉢部内の空気が排出部を介して便槽内に引き込まれない。このため、便鉢部の上面に設けられた便座に着座した使用者の臀部の周囲を空気が流れることを防止することができ、使用者にひんやり感を与えることを防止することができる。
【０００９】
したがって、本発明のトイレ装置は、使用者が悪臭を感じにくく、良好に使用することができる。
【００１０】
前記排出部を形成する接続部材を有し、この接続部材は、前記閉止具が取り付けられ、かつこの閉止具より上方に前記空気路が連通し得る。この場合、トイレ装置を容易に施工することができる。
【００１１】
前記排出部を形成する接続部材を有し、この接続部材は、前記閉止具が取り付けられ、かつこの閉止具より上方で、前記接続部材から分岐し、貯水槽に連通した排水路を備えており、前記空気路はこの排水路に連結し得る。この場合、排水路を介して便鉢部に流入した水を排出することができる。また、この排水路を利用して臭気を排気したり、外部から空気を便鉢部へ給気したりすることができる。
【００１２】
使用者の有無を検知する人体検知装置を備え、前記送風機は、回転方向を変更して前記便鉢部及び前記空気路を介して排気することができ、前記人体検知装置が検知する使用者の有無によって前記便鉢部及び前記空気路を介して排気する空気の流量を変更し得る。また、使用者の有無を検知する人体検知装置と、前記人体検知装置が検知する使用者の有無によって前記便鉢部及び前記空気路を介して排気する空気の流量を変更する排気用送風機とを備え得る。この場合、人体検知装置が使用者を検知しているときに送風機又は排気用送風機が便鉢部及び空気路を介して排気する空気の流量を多くすることができる。このようにすると、トイレルーム内の臭気を素早く排気し、使用者が悪臭を感じにくくすることができる。また、人体検知装置が使用者を検知していないときは、送風機又は排気用送風機が便鉢部及び空気路を介して排気する空気の流量を少なくすることで、送風機又は排気用送風機の電力消費を抑えることができる。また、送風機又は排気用送風機が便鉢部及び空気路を介して排気する空気が、使用者の臀部等の周囲を流れ、使用者にひんやり感を与える等、不快感を与える場合は、人体検知装置が使用者を検知しているときは、送風機又は排気用送風機が便鉢部及び空気路を介して排気する空気の流量を少なくしてもよい。
【００１３】
前記便鉢部が配置されている周囲の温度を検知する温度検知装置を備え、前記送風機又は前記排気用送風機は、前記温度検知装置が検知する温度によって前記便鉢部及び前記空気路を介して排気する空気の流量を変更し得る。この場合、温度検知装置が検知する温度が設定温度より高いときは、送風機又は排気用送風機が便鉢部及び空気路を介して排気する空気の流量を多くする。このようにすると、夏季等において、トイレルーム内から便鉢部内に流れる空気が便鉢部の上面に設けられた便座に着座した使用者の臀部の周囲を流れ、ひんやり感を与えることができる。また、温度検知装置が検知する温度が設定温度より低いときは、送風機又は排気用送風機が便鉢部及び空気路を介して排気する空気の流量を少なくする。このようにすると、冬季等において、トイレルーム内から便鉢部内に流れる空気が少なくなるため、便鉢部の上面に設けられた便座に着座した使用者の臀部の周囲を流れる空気が少なくなり、ひんやり感を抑えることができる。
【００１４】
前記送風機は、前記閉止具が前記排出部を開放した際、前記空気路を介して外部から空気を前記便鉢部へ給気する。この場合、一時的に閉止具が排出部を開放した際、排出部から便槽内に向けて空気の流れが生じる。この際、送風機の駆動によって空気路を介して外部から給気した空気が便槽内に引き込まれるため、便鉢部の空気が排出部を介して便槽内に引き込まれない。このため、便鉢部の上面に設けられた便座に着座した使用者の臀部の周囲を空気が流れることを防止することができ、使用者にひんやり感を与えることを防止することができる。また、便槽内の臭気が閉止具より上方に立ち昇ることを防止することができる。
【００１５】
前記送風機が給気する空気の流量は前記閉止具が前記排出部を開放した際に前記排出部から前記便槽に流れる空気の流量以下であり得る。この場合、送風機が給気する空気の流量が多すぎて、その空気が便鉢部側へ流れることを防止することができる。このため、使用者に不快感を与えることを防止することができる。
【００１６】
前記閉止具が前記排出部を閉鎖し、前記受部の上面に前記水が貯留された状態で、前記便鉢部と前記空気路とが連通し得る。この場合、受部に貯留した水によって便槽内の臭気が立ち昇ることを確実に防止するとともに、送風機を駆動することによって、便鉢部及び空気路を介してトイレルーム内の空気を排気することができる。
【図面の簡単な説明】
【００１７】
【図１】実施例１のトイレ装置を示す概略図である。
【図２】実施例２のトイレ装置を示す概略図である。
【図３】実施例３のトイレ装置において、送風機の排気状態を示す概略図である。
【図４】実施例３のトイレ装置において、送風機の給気状態を示す概略図である。
【図５】参考例のトイレ装置を示す概略図である。
【発明を実施するための形態】
【００１８】
本発明のトイレ装置を具体化した実施例１〜３について、図面を参照しつつ説明する。
【００１９】
＜実施例１＞
実施例１のトイレ装置は、図１に示すように、便鉢部１１、排出部Ｐ、閉止具３０、空気路４０、及び送風機であるファン５０を備えている。便鉢部１１は、便器本体１０に設けられ、上方に開口している。また、便鉢部１１は最下端部に貫設した排出口１１Ａを有している。便器本体１０は便鉢部１１の上方に設けられた便座１２及び便蓋１３を有している。
【００２０】
便器本体１０はトイレルーム内の床面ＦＬに設置されている。床面ＦＬの下方には便槽６０が設けられている。床面ＦＬは便鉢部１１の排出口１１Ａの下方に貫通孔６１を貫設している。この貫通孔６１は、後述する接続部材の下端が挿入され、連結している。便槽６０はこの貫通孔６１から落下した屎尿Ｆを貯留することができる。
【００２１】
便鉢部１１は排出口１１Ａに接続部材２０を連結している。接続部材２０は排出口１１Ａを便槽６０に連通する排出部Ｐを形成している。接続部材２０は、上端開口部を排出口１１Ａの外周面に接続し、上端開口部から連続し、下端が開口したすり鉢形状の流入部２１を有している。
【００２２】
接続部材２０は流入部２１の下端開口よりも下方に円筒状の中間管部２２を有している。中間管部２２は、上端部が内周面から外周面に向けて斜め上方に傾斜した傾斜面を有し、上端開口縁が流入部２１の下端開口縁より外側の上方に位置している。また、中間管部２２は上端部に形成した傾斜面が流入部２１の下端部の外周面との間に隙間を形成している。
【００２３】
接続部材２０は流入部２１の外側面の上部と中間管部２２の外側面とを連結する連結部２３を有している。連結部２３は外側面が円筒状である。接続部材２０は連結部２３の外側面の一部から空気路４０を外側に延ばして形成している。このように、空気路４０は、後述する閉止具３０の上流側近傍、すなわち、閉止具３０より上方の接続部材２０に連通している。接続部材２０に空気路４０を連通しているため、このトイレ装置は容易に施工することができる。
【００２４】
接続部材２０は、中間管部２２の外側面に連結し、下端が開放した排出部２４を有している。排出部２４は下方に向けて徐々に径が細くなった略筒形状である。排出部２４の下端開口部は床面ＦＬに設けられた貫通孔６１に連結している。
【００２５】
閉止具３０は受部３１と支持部材３２とを有している。受部３１は円盤状の中央部とその外周縁部に連続して斜め上方外側に向けて傾斜した縁部とを有する受け皿形状に形成されている。支持部材３２は、一端に受部３１を支持し、他端に錘部材３３を連結している。支持部材３２は錘部材３３側を回動自在に軸支されている。受部３１が上昇すると、受部３１の上面が中間管部２２の下端縁に当接し、排出部Ｐを閉鎖する。また、受部３１が設定重量以上の屎尿Ｆを受けると受部３１は下降して排出部Ｐを開放するように、錘部材３３の重さが設定されている。また、受部３１から屎尿Ｆが落下すると、受部３１が上昇して排出部Ｐを閉鎖する。
【００２６】
トイレ装置は閉止具３０が排出部Ｐを開閉する状態を検知する開閉検知装置Ｓ１を備えている。この開閉検知装置Ｓ１は検知信号を制御装置Ｃに送信する。
【００２７】
空気路４０は、閉止具３０が排出部Ｐを閉鎖した状態で、連結部２３と、中間管部２２の上端部に形成された傾斜面と流入部２１の下端部の外周面との間に形成された隙間と、流入部２１とを介して便鉢部１１に連通している。空気路４０はトイレルームの壁面Ｗを貫通して屋外に延びている。空気路４０は途中にファン５０が設けられている。ファン５０は、制御装置Ｃから送信される制御信号によって、回転数を変更したり、回転方向を変更したりすることができる。ファン５０は、回転数を変更することによって、吸引及び送風する空気流量を変更することができる。また、ファン５０は、回転方向を変更することによって、接続部材２０側から空気を吸引して屋外に排気したり、屋外の空気を吸引して接続部材２０側（便鉢部１１側）へ給気したりすることができる。
【００２８】
トイレ装置は、便鉢部１１を有する便器本体１０が配置されているトイレルーム内の温度を検知する温度検知装置Ｓ２を備えている。温度検知装置Ｓ２によって便鉢部１１を有する便器本体１０の周囲の温度を検知することができる。温度検知装置Ｓ２は検知信号を制御装置Ｃに送信する。
【００２９】
制御装置Ｃは、開閉検知装置Ｓ１及び温度検知装置Ｓ２の検知信号を受信し、その受信信号に基づいて、ファン５０に制御信号を送信する。その結果、以下に説明するように、ファン５０が駆動する。
【００３０】
閉止具３０が排出部Ｐを閉鎖していることを開閉検知装置Ｓ１が検知しているときは、制御装置Ｃは接続部材２０側から空気を吸引して排気するようにファン５０を制御する。これにより、トイレ装置は、便鉢部１１、接続部材２０、及び空気路４０を介してトイレルーム内の空気を屋外に排気することができる。つまり、このトイレ装置はトイレルーム内の臭気を屋外に排気することができる。また、このトイレ装置は受部３１に屎尿Ｆを受けた状態で、その屎尿Ｆの臭気も接続部材２０及び空気路４０を介して屋外に排気することができる。このため、受部３１に受けた屎尿Ｆの臭気（悪臭）を使用者が感じ難く、さらにその臭気がトイレルーム内に拡散することを防止することができる。
【００３１】
また、温度検知装置Ｓ２が検知するトイレルーム内の温度が設定温度より高いときは、制御装置Ｃはファン５０の回転数を多くするようにファン５０を制御する。これにより、便鉢部１１、接続部材２０、及び空気路４０を介して屋外に排気するトイレルーム内の空気の流量が多くなる。夏季等において、トイレルーム内から便鉢部１１内に流れる空気の流量を多くすることにより、その空気が便座１２に着座した使用者の臀部の周囲を流れ、ひんやり感を与えることができる。また、温度検知装置Ｓ２が検知するトイレルーム内の温度が設定温度より低いときは、制御装置Ｃはファン５０の回転数を少なくするようにファン５０を制御する。これにより、便鉢部１１、接続部材２０、及び空気路４０を介して屋外に排気するトイレルーム内の空気の流量が少なくなる。冬季等において、トイレルーム内から便鉢部１１内に流れる空気の流量を少なくすることにより、便座１２に着座した使用者の臀部の周囲を流れる空気が少なくなり、ひんやり感を抑えることができる。
【００３２】
また、閉止具３０は受部３１から屎尿Ｆが落下すると排出部Ｐを閉鎖するため、閉止具３０が排出部Ｐを開放する時間は短時間である。このため、閉止具３０より上方に立ち昇る便槽６０内の臭気は僅かである。このように、便槽６０から閉止具３０より上方に立ち昇る臭気が僅かなため、この臭気をファン５０を駆動することによって空気路４０を介して確実に屋外に排気することができる。
【００３３】
また、閉止具３０は受部３１が受けた屎尿Ｆの重量が設定重量よりも重くなると一時的に排出部Ｐを開放する。すると、開閉検知装置Ｓ１は閉止具３０が排出部Ｐを開放したことを検知し、制御装置Ｃはファン５０が空気路４０を介して屋外の空気を接続部材２０側（便鉢部１１側）へ給気するように制御する。これにより、屋外の空気が接続部材２０側へ給気され、その空気が便槽６０内に引き込まれる。このため、便槽６０内の臭気が閉止具３０より上方に立ち昇ることを防止することができる。
【００３４】
また、閉止具３０が排出部Ｐを一時的に開放した際に、便槽６０内に引き込まれる空気の流れによって、便座１２に着座した使用者の臀部の周囲を空気が流れて、ひんやり感を与えることがあるが、ファン５０が屋外の空気を接続部材２０側へ流すため、その空気が便槽６０内に引き込まれ、便座１２に着座した使用者の臀部の周囲を空気が流れることを防止することができ、使用者にひんやり感を与えることを防止することができる。
【００３５】
したがって、実施例１のトイレ装置は、使用者が悪臭を感じにくく、良好に使用することができる。
【００３６】
＜実施例２＞
実施例２のトイレ装置は、図２に示すように、便器洗浄装置７０を備えている。この便器洗浄装置７０は、排水路７１、貯水槽７２、及びポンプ７４を有した給水路７３を具備している。また、このトイレ装置は使用者の有無を検知する人体検知装置Ｓ３を備えている。さらに、このトイレ装置は、便蓋１３及び図示しない便座を回動自在に軸支する便座ボックス１４内に脱臭装置８１を内蔵した便座装置８０、つまり、脱臭機能を有する便器装置を備えている。また、このトイレ装置は、排出部Ｐを閉鎖した状態に閉止具３０をロックする図示しないロック機構を備えている。このトイレ装置は排水路７１の上流部に空気路４１を連通している。実施例１と同一の構成は同一の符号を付し、詳細な説明を省略する。
【００３７】
排水路７１は接続部材２０の連結部２３の外側面の一部から延びている。この排水路７１はトイレルームの壁面Ｗを貫通して屋外に設置した貯水槽７２に連通している。貯水槽７２はポンプ７４を有する給水路７３に連通している。給水路７３は便器本体１０のリム吐水口に連通している。便器洗浄装置７０は、ポンプ７４を駆動することによって貯水槽７２に貯水した便器洗浄水（中水）をリム吐水口から便鉢部１１に供給して便器洗浄を実行する。
【００３８】
便器洗浄が実行され、便鉢部１１の表面に付着したトイレットペーパーや、受部３１に受けた屎尿Ｆ等を便槽６０内に落下させた後、ロック機構が閉止具３０をロックする。その後、受部３１が受けた便器洗浄水は、接続部材２０の中間管部２２の上端部に形成された傾斜面と流入部２１の下端部の外周面との間に形成された隙間から排水路７１に流入する。排水路７１に流入した便器洗浄水は貯水槽７２に貯留される。貯水槽７２はフィルター部材及び塩素滅菌装置が組み込まれており、便器洗浄水を浄化した中水を貯留する。貯水槽７２は水道管Ｓに連通しており、貯水槽７２に貯水する中水が少なくなったときは、水道水を貯水槽７２内に給水することができる。
【００３９】
便器洗浄が終了すると、ロック機構が閉止具３０のロックを解除する。この状態で、受部３１は設定水量（設定重量）の便器洗浄水をその上面に貯留することができる。受部３１に設定水量の便器洗浄水が貯留された状態では、中間管部２２の下端縁が受部３１の上面に貯留した便器洗浄水に水没している。これにより、便槽６０内の臭気が排出部Ｐを介して立ち昇ることを確実に防止することができる。
【００４０】
また、受部３１の上面に貯留した便器洗浄水の水位は、流入部２１の下端よりも下方になるように設定されている。このため、閉止具３０が排出部Ｐを閉鎖した状態で、便鉢部１１と空気路４１とは連通している。また、空気路４１が排水路７１に連通しているため、ファン５１を駆動すると、排水路７１を利用してトイレルーム内の臭気等を排気したり、屋外の空気を接続部材２０側（便鉢部１１側）へ給気したりすることができる。仮に、受部３１の上面に貯留した便器洗浄水の水位が設定水位よりも高くなると、受部３１は下降して排出部Ｐを開放し、便器洗浄水が便槽６０内に落下するように、錘部材３３の重さが設定されている。このため、受部３１の上面に貯留した便器洗浄水の水位が流入部２１より上昇しないため、トイレルーム内の空気を便鉢部１１、接続部材２０、排水路７１及び空気路４１を介して屋外に確実に排気することができる。
【００４１】
接続部材２０の中間管部２２の上端部に形成された傾斜面と流入部２１の下端部の外周面との間に形成された隙間の間隔は１ｍｍ以上に形成されている。このため、接続部材２０の中間管部２２の上端部に形成された傾斜面と流入部２１の下端部の外周面との間に形成された隙間から排水路７１に流入した便器洗浄水が、表面張力によって、この隙間に残存して閉鎖することを確実に防止することができる。
【００４２】
人体検知装置Ｓ３は便器本体１０の前方に接近する使用者を検知することができる。人体検知装置Ｓ３は使用者の有無を検知し、制御装置Ｃに検知信号を送信する。制御装置Ｃは、人体検知装置Ｓ３の検知信号を受信し、その受信信号に基づいて、ファン５１に制御信号を送信する。その結果、以下に説明するように、ファン５１が駆動する。
【００４３】
人体検知装置Ｓ３が、便器本体１０の前方に使用者を検知しているときは、制御装置Ｃはファン５１の回転数を多くするようにファン５１を制御することができる。このようにすると、便鉢部１１、接続部材２０、及び空気路４１を介して屋外に排気するトイレルーム内の空気の流量を多くすることができる。このため、トイレルーム内の臭気を素早く排気し、使用者が悪臭を感じにくくすることができる。また、人体検知装置Ｓ３が、便器本体１０の前方に使用者を検知していないときは、制御装置Ｃはファン５１の回転数を少なくするようにファン５１を制御することができる。このようにすると、便鉢部１１、接続部材２０、及び空気路４１を介して屋外に排気するトイレルーム内の空気の流量が少なくなる。また、ファン５１の電力消費を抑えることができる。
【００４４】
脱臭装置８１は、便鉢部１１内から空気を吸引し、吸引した空気を活性炭等の脱臭材に通過させ、臭いを除去して、トイレルーム内に排気するものである。人体検知装置Ｓ３が便器本体１０の前方に使用者を検知しているときは、制御装置Ｃは脱臭装置８１を駆動するように制御する。また、人体検知装置Ｓ３が便器本体１０の前方に使用者を検知していないときは、制御装置Ｃは脱臭装置８１を停止するように制御する。制御装置Ｃは、脱臭装置８１に連動してファン５１を制御することができる。つまり、脱臭装置８１が駆動しているときは、制御装置Ｃはファン５１が接続部材２０側から空気を吸引して排気するようにファン５１を制御し、脱臭装置８１が停止しているときは、制御装置Ｃはファン５１を停止するように制御することができる。このため、脱臭装置８１との相乗効果によって、より使用者が悪臭を感じにくくすることができる。また、ファン５１の電力消費を抑えることができる。
【００４５】
このように、実施例２のトイレ装置も、使用者が悪臭を感じにくく、良好に使用することができる。
【００４６】
＜実施例３＞
実施例３のトイレ装置は、図３及び図４に示すように、排気用ファン５１Ａが設けられた第１空気路４１Ａと、給気用ファン５１Ｂが設けられた第２空気路４１Ｂとが排水路７１の上流部に連通している。他の構成は実施例２と同様であり、同様の構成は同一の符号を付し、詳細な説明を省略する。
【００４７】
第１空気路４１Ａはトイレルームの壁面を貫通して屋外に延びている。このため、排気用ファン５１Ａを駆動すると、接続部材２０側から空気を吸引して屋外に排気することができる。また、第２空気路４１Ｂはトイレルーム内の空気を吸引して接続部材２０側（便鉢部１１側）へ給気することができる。排気用ファン５１Ａと給気用ファン５１Ｂは制御装置Ｃによって制御される。また、排気用ファン５１Ａと給気用ファン５１Ｂとを別々に設けているため、強力に空気を排気したり、給気したりすることができる。このため、このトイレ装置も、使用者が悪臭を感じにくく、良好に使用することができる。
【００４８】
＜参考例＞
参考例のトイレ装置は、図５に示すように、排水路７１と便槽６０とを連通する第３空気路４１Ｃを備えている。また、このトイレ装置は、便槽６０に連通し、便槽６０内の空気を排気する便槽用ファン５２を備えている。また、便槽６０は、開閉弁Ｖを有し、外部に連通する空気路４１Ｄを備えている。他の構成は実施例２と同様であり、同様の構成は同一の符号を付し、詳細な説明を省略する。
【００４９】
このトイレ装置は、便槽用ファン５２を駆動することによって、便槽６０、便槽６０に連通した第３空気路４１Ｃ、及び排水路７１を介して接続部材２０側から空気を吸引して排気することができる。つまり、便槽６０内の臭気と、トイレルーム内の臭気を便槽用ファン５２を駆動することによって屋外に排気することができる。このため、便槽６０内から接続部材２０を介して便鉢部１１内に立ち昇る臭気を少なくすることができる。また、空気路４１Ｄは、便槽用ファン５２の回転数が設定値以上になると、開閉弁Ｖを開弁する。この際、屎尿Ｆの落下によって閉止具３０が排出部Ｐを一時的に開放しても、空気路４１Ｄから空気を吸引するため、排出部Ｐから空気を吸引することを防止することができる。よって、便座１２に着座した使用者の臀部の周囲を空気が流れることを防止することができ、使用者にひんやり感を与えることを防止することができる。このように、このトイレ装置も、使用者が悪臭を感じにくく、良好に使用することができる。
【００５０】
本発明は上記記述及び図面によって説明した実施例１〜３に限定されるものではなく、例えば次のような実施例も本発明の技術的範囲に含まれる。
（１）実施例１では、温度検知装置を備えているが、温度検知装置を備えなくてもよい。
（２）実施例１〜３では、閉止具が排出部を開閉する状態を検知する開閉検知装置を備えているが、開閉検知装置を備えなくてもよい。
（３）実施例２及び３では、貯水槽を設けて便器洗浄水を循環するようにしているが、貯水槽を設けず、便器洗浄水を循環させなくてもよい。この場合、排水路に流入した尿や便器洗浄水は浄化槽等で処理して、放流するとよい。
（４）実施例２及び３では、人体検知装置を備えているが、人体検知装置を備えなくてもよい。
（５）実施例２及び３では、脱臭装置と連動してファンを駆動しているが、脱臭装置に連動させなくてもよい。
（６）実施例１〜３では、閉止具が排出部を開放した際、空気路を介して外部から空気を接続部材側（便鉢部側）に給気したが、給気しなくてもよい。
（７）参考例の第３空気路に実施例３に示した給気用ファンを設けてもよい。
（８）実施例１〜３では、閉止具は受部が設定重量以上の屎尿等を受けると排出部を開放するようにしたが、使用者の操作によって開放するようにしてもよい。
（９）実施例２では、受部の上面に貯留した便器洗浄水の水位を流入部の下端よりも下方になるように錘部材を設定したが、水位センサ等によって水位を検知し、設定水位になると閉止具を強制的に駆動し、排出部を開放してもよい。
（１０）実施例２において、脱臭操作用の操作部を設け、その操作部を操作することによってファンの回転数を調整してもよい。
【符号の説明】
【００５１】
１１…便鉢部
２０…接続部材
３０…閉止具
３１…受部
４０、４１、４１Ａ、４１Ｂ、４１Ｃ…空気路（４１Ａ…第１空気路、４１Ｂ…第２空気路、４１Ｃ…第３空気路）
５０、５１、５１Ａ、５１Ｂ、５２…ファン（送風機）（５１Ａ…排気用ファン、５１Ｂ…給気用ファン、５２…便槽用ファン）
６０…便槽
７１…排水路
Ｐ…排出部
Ｓ２…温度検知装置
Ｓ３…人体検知装置
【図１】
0005871476.tif 000002
【図２】
0005871476.tif 000003
【図３】
0005871476.tif 000004
【図４】
0005871476.tif 000005
【図５】
0005871476.tif 000006